(57)【要約】【課題】スピニングリールの釣り糸案内機構において、第１支持部材や第１ロータアームを分解することなく第１支持部材と第１ロータアームとの間に注油を容易に行えるようにする。【解決手段】スピニングリールのベールアーム４４では、第１ベール支持部材４０の糸開放姿勢時において外部に露出する第１回転支持部４０ａに設けられ、第１回転支持部４０ａの内周部と外周部とを連通するように形成された第１注油孔９０が設けられている。ここでは、第１ベール支持部材４０と第１ロータアーム３１との間に潤滑油を注油するときは、第１ベール支持部材４０の糸開放姿勢となるように揺動させ、外部に露出した第１注油孔９０から内周部に潤滑油を注油する。【選択図】図３
2011092046.tif 000002
【特許請求の範囲】
【請求項１】
第１ロータアームの先端に糸案内姿勢と糸開放姿勢とに揺動自在に装着され釣り糸をスプールに案内するスピニングリールの釣り糸案内機構であって、
前記第１ロータアームの先端に揺動自在に装着された第１支持部材と、
前記第１支持部材の前記糸開放姿勢時において外部に露出する第１回転支持部に設けられ、前記第１回転支持部の内周部と外周部とを連通するように形成された注油用の第１注油孔と、
を備えたスピニングリールの釣り糸案内機構。
【請求項２】
前記第１注油孔は、注油用ノズルが挿入可能に小径となるように形成された貫通孔である、請求項１に記載のスピニングリールの釣り糸案内機構。
【請求項３】
前記第１回転支持部は、内周縁部に立設された内フランジ部と、外周縁部に立設された外フランジ部と、前記内フランジ部と前記外フランジ部との間に形成された空洞部とを有しており、
前記第１注油孔は、前記内フランジ部に形成された第１貫通孔と、前記外フランジ部に形成され前記第１貫通孔及び前記空洞部と連通する第２貫通孔とを有している、請求項２に記載のスピニングリールの釣り糸案内機構。
【請求項４】
前記第１注油孔は、前記糸案内姿勢時において外部に露出しない前記第１回転支持部に設けられている、請求項１から３のいずれか１項に記載のスピニングリールの釣り糸案内機構。
【請求項５】
前記第１支持部材に一端が固定された固定軸と、
前記固定軸の他端に前記第１支持部材と間隔を隔てて設けられた固定軸カバーと、
前記固定軸に回動自在に支持され、周面に前記釣り糸を案内するローラが形成されたラインローラとをさらに備える、請求項１から４のいずれか１項に記載のスピニングリールの釣り糸案内機構。
【請求項６】
前記第１ロータアームにロータ回転軸心を挟んで対向するように設けられた第２ロータアームの先端に前記糸案内姿勢と前記糸開放姿勢とに揺動自在に装着された第２支持部材と、
前記第２支持部材と少なくとも前記固定軸及び前記固定軸カバーのいずれかとに両端が固定され、前記スプールの周方向外方に湾曲して配置され、前記釣り糸を前記固定軸カバーを介して前記ラインローラに導くベールとをさらに備える、請求項５に記載のスピニングリールの釣り糸案内機構。
【請求項７】
前記第２支持部材の前記糸開放姿勢時において外部に露出する第２回転支持部に設けられ、前記第２回転支持部の内周部と外周部とを連通するように形成された注油用の第２注油孔をさらに備える、請求項６に記載のスピニングリールの釣り糸案内機構。
【請求項８】
前記第２注油孔は、注油用ノズルが挿入可能に小径となるように形成された貫通孔である、請求項７に記載のスピニングリールの釣り糸案内機構。
【請求項９】
前記第２回転支持部は、内周部と外周部とが連なった本体部を有しており、
前記第２注油孔は、前記本体部の内周部と外周部とを貫通する貫通孔である、請求項８に記載のスピニングリールの釣り糸案内機構。
【発明の詳細な説明】
【技術分野】
【０００１】
本発明は、釣り糸案内機構、特に、第１ロータアームの先端に糸案内姿勢と糸開放姿勢とに揺動自在に装着され釣り糸をスプールに案内するスピニングリールの釣り糸案内機構に関する。
【背景技術】
【０００２】
スピニングリールには、釣り糸をスプール案内する釣り糸案内機構がロータの先端に設けられている。ロータは、リール本体に回転自在に装着された円筒部と、円筒部の後部に対向して一体で形成された第１ロータアーム及び第２ロータアームを有している。釣り糸案内機構は、この２つのロータアームの先端に糸案内姿勢と糸開放姿勢との間で揺動自在に装着されている。この種の釣り糸案内機構は、第１ロータアームに揺動自在に設けられた第１支持部材と、第２ロータアームの先端に揺動自在に設けられた第２支持部材と、両支持部材を連結するベールとを有している。第１支持部材の先端には、釣り糸を案内するためのラインローラと、ラインローラを支持するための固定軸及び固定軸カバーとが装着されており、ベールの一端は固定軸カバーに固定されている。ベールの他端は第２支持部材にかしめ固定されている（たとえば、特許文献１参照）。
【０００３】
このような釣り糸案内機構では、第１支持部材及び第２支持部材は、第１ロータアーム及び第２ロータアームの先端にボルト部材（取付ピン）をねじ込むことによって揺動自在に装着されている。そして、第１支持部材及び第２支持部材と第１ロータアーム及び第２ロータアームの先端との間には、第１支持部材及び第２支持部材の揺動をスムーズに行うために、オイル等の潤滑油が注油されている。
【先行技術文献】
【特許文献】
【０００４】
【特許文献１】特開平１０−２３４２７７号公報
【発明の概要】
【発明が解決しようとする課題】
【０００５】
前記従来の釣り糸案内機構では、第１支持部材と第１ロータアームの先端との間に潤滑油を注油するには、第１ロータアームの先端からボルト部材を取り外し、第１支持部材を第１ロータアームから分解した状態で潤滑油の注油を行っている。この場合には、注油を行う毎に第１支持部材を分解しなければならないが、第１支持部材は高荷重の巻き上げで緩まないようにするためにボルト部材を高トルクで締め付けて組み付けられていることが多いので、釣人が第１支持部材を分解するときにボルト部材を取り外すと、ボルト部材の工具係止部が損傷したり、第１支持部材を組み付ける時のボルト部材の締め付けトルクが不足してボルト部材が緩みやすくなるおそれがある。また、第１支持部材を分解する時に、第１支持部材を強い力で引っ張ると、第１支持部材自身を変形させてしまうことがあり、この場合には、ロータの回転バランスが崩れてしまうおそれが生じる。
【０００６】
本発明の課題は、スピニングリールの釣り糸案内機構において、第１支持部材や第１ロータアームを分解することなく第１支持部材と第１ロータアームとの間に注油を容易に行えるようにすることにある。
【課題を解決するための手段】
【０００７】
発明１に係るスピニングリールの釣り糸案内機構は、第１ロータアームの先端に糸案内姿勢と糸開放姿勢とに揺動自在に装着され釣り糸をスプールに案内するスピニングリールの釣り糸案内機構であって、第１支持部材と、第１注油孔とを備えている。第１支持部材は、第１ロータアームの先端に揺動自在に装着される。第１注油孔は、第１支持部材の糸開放姿勢時において外部に露出する第１回転支持部に設けられ、第１回転支持部の内周部と外周部とを連通するように形成された注油孔である。
【０００８】
この釣り糸案内機構では、第１支持部材の糸開放姿勢時において外部に露出する第１回転支持部に設けられ、第１回転支持部の内周部と外周部とを連通するように形成された第１注油孔が設けられている。ここでは、第１支持部材と第１ロータアームとの間に潤滑油を注油するときは、第１支持部材の糸開放姿勢となるように揺動させ、外部に露出した第１注油孔から内周部に潤滑油を注油する。ここでは、従来のように第１支持部材を分解することなく潤滑油を注油することができるので、第１支持部材や第１ロータアームを分解することなく第１支持部材と第１ロータアームとの間に容易に注油を行うことができる。
【０００９】
発明２に係る釣り糸案内機構は、発明１の釣り糸案内機構において、第１注油孔は、注油用ノズルが挿入可能に小径となるように形成された貫通孔である。この場合、第１注油孔は、比較的細い外径の注油用ノズルが挿入可能に小径となるように形成された貫通孔であるので、注油した潤滑油が外部に漏れにくくなるとともに、内部に塩や塵芥等が進入しにくくなる。
【００１０】
発明３に係る釣り糸案内機構は、発明２の釣り糸案内機構において、第１回転支持部は、内周縁部に立設された内フランジ部と、外周縁部に立設された外フランジ部と、内フランジ部と外フランジ部との間に形成された空洞部とを有している。第１注油孔は、内フランジ部に形成された第１貫通孔と、外フランジ部に形成され第１貫通孔及び空洞部と連通する第２貫通孔とを有している。この場合、内部に空洞部を有する第１回転支持部に第１貫通孔及び第２貫通孔を設けることによって、第１注油孔を形成できる。
【００１１】
発明４に係る釣り糸案内機構は、発明１から３のいずれかの釣り糸案内機構において、第１注油孔は、糸案内姿勢時において外部に露出しない第１回転支持部に設けられている。この場合、第１注油孔は、第１支持部材の糸案内姿勢時において外部に露出しないように形成されているので、たとえば、注油孔を閉塞するためのキャップ部材を別途設ける必要がなくなる。
【００１２】
発明５に係る釣り糸案内機構は、発明１から４のいずれかの釣り糸案内機構において、固定軸と、固定軸カバーと、ラインローラとをさらに備える。固定軸は、第１支持部材に一端が固定される。固定軸カバーは、固定軸の他端に第１支持部材と間隔を隔てて設けられる。ラインローラは、固定軸に回動自在に支持され、周面に釣り糸を案内するローラが形成される。この場合、第２支持部材及びベールのないベールレスタイプの釣り糸案内機構に本発明を適用できる。
【００１３】
発明６に係る釣り糸案内機構は、発明５の釣り糸案内機構において、第２支持部材と、ベールとをさらに備える。第２支持部材は、第１ロータアームにロータ回転軸心を挟んで対向するように設けられた第２ロータアームの先端に糸案内姿勢と糸開放姿勢とに揺動自在に装着される。ベールは、第２支持部材と少なくとも固定軸及び固定軸カバーのいずれかとに両端が固定され、スプールの周方向外方に湾曲して配置され、釣り糸を固定軸カバーを介してラインローラに導くものである。この場合、第２支持部材及びベールを有するタイプの釣り糸案内機構に本発明を適用できる。
【００１４】
発明７に係る釣り糸案内機構は、発明６の釣り糸案内機構において、第２支持部材の糸開放姿勢時において外部に露出する第２回転支持部に設けられ、第２回転支持部の内周部と外周部とを連通するように形成された注油用の第２注油孔をさらに備える。この場合、第１注油孔だけでなくさらに第２注油孔を設けることによって、第２支持部材を分解することなく第２支持部材と第２ロータアームとの間に容易に注油を行うことができる。
【００１５】
発明８に係る釣り糸案内機構は、発明７の釣り糸案内機構において、第２注油孔は、注油用ノズルが挿入可能に小径となるように形成された貫通孔である。この場合、第２注油孔は、比較的細い外径の注油用ノズルが挿入可能に小径となるように形成された貫通孔であるので、注油した潤滑油が外部に漏れにくくなるとともに、内部に塩や塵芥等が進入しにくくなる。
【００１６】
発明９に係る釣り糸案内機構は、発明８の釣り糸案内機構において、第２回転支持部は、内周部と外周部とが連なった本体部を有している。第２注油孔は、本体部の内周部と外周部とを貫通する貫通孔である。この場合、内周部と外周部とが連なった本体部を有する、内部に空洞部を有していない第２回転支持部に貫通孔を設けることによって、第２注油孔を形成できる。
【発明の効果】
【００１７】
本発明によれば、スピニングリールの釣り糸案内機構において、第１支持部材の糸開放姿勢時において外部に露出する第１回転支持部に設けられ、第１回転支持部の内周部と外周部とを連通するように形成された第１注油孔が設けられているので、第１支持部材や第１ロータアームを分解することなく第１支持部材と第１ロータアームとの間に注油を容易に行うことができる。
【図面の簡単な説明】
【００１８】
【図１】本発明の一実施形態によるスピニングリールの側面図。
【図２】前記スピニングリールの側面断面図。
【図３】前記スピニングリールの第１ベール支持部材の斜視図。
【図４】前記スピニングリールの第２ベール支持部材の斜視図。
【発明を実施するための形態】
【００１９】
本発明の一実施形態を採用したスピニングリールは、図１に示すように、ハンドル１と、ハンドル１を回転自在に支持するリール本体２と、ロータ３と、スプール４とを備えている。ロータ３は、リール本体２の前部に回転自在に支持されている。スプール４は、釣り糸を外周面に巻き取るものであり、ロータ３の前部に前後移動自在に配置されている。なお、ハンドル１は、リール本体２の左右いずれにも装着可能である。
【００２０】
リール本体２は、図２に示すように、内部に空間を有するリールボディ２ａと、リールボディ２ａの空間を塞ぐためにリールボディ２ａに着脱自在に装着される蓋部材２ｂ（図１参照）とを有している。また、リール本体２は、リールボディ２ａ及び蓋部材２ｂの後部を覆う本体ガード２ｄを有している。
【００２１】
リールボディ２ａは、図２に示すように、たとえばマグネシウム合金やアルミニウム合金等の軽合金製のものであり、上部に前後に延びるＴ字形の竿取付脚２ｃが一体形成されている。リールボディ２ａの空間内には、図２に示すように、ロータ駆動機構５と、オシレーティング機構６とが設けられている。
【００２２】
蓋部材２ｂは、図１に示すように、たとえば、マグネシウム合金やアルミニウム合金等の軽合金製のものである。蓋部材２ｂは、たとえば、ロータ３で隠れる前側の２箇所で固定ボルトによりリールボディ２ａに固定されているとともに、ロータ３から離反する後側の１箇所で固定ボルトによりリールボディ２ａに固定されている。
【００２３】
ロータ駆動機構５は、図２に示すように、ハンドル１が固定されたマスターギア軸１０とともに回転するフェースギア１１と、このフェースギア１１に噛み合うピニオンギア１２とを有している。ピニオンギア１２は筒状に形成されており、ピニオンギア１２の前部はロータ３の中心部を貫通し、ナット１３によりロータ３に固定されている。また、ピニオンギア１２は、その軸方向の中間部と後端部とが、それぞれ第１軸受１４ａ、第２軸受１４ｂを介してリール本体２に回転自在に支持されている。
【００２４】
オシレーティング機構６は、図２に示すように、スプール４の中心部にドラグ機構６０を介して連結されたスプール軸１５を前後方向に移動させてスプール４を同方向に移動させるための機構である。オシレーティング機構６は、スプール軸１５の下方に平行に配置された螺軸２１と、螺軸２１に沿って前後方向に移動するスライダ２２と、螺軸２１の先端に固定された中間ギア２３とを有している。スライダ２２にはスプール軸１５の後端が回転不能に固定されている。中間ギア２３はピニオンギア１２に噛み合っている。
【００２５】
ロータ３は、図２に示すように、リール本体２に対して前後方向の軸回りに回転自在なロータ本体７と、ロータ本体７の後部を覆う第１カバー部材３３と、第１ロータアーム３１及び第２ロータアーム３２の外側面を覆う１対の第２カバー部材３４及び第３カバー部材３５とを有している。
【００２６】
ロータ本体７は、図２に示すように、たとえばアルミニウム合金製であり、ピニオンギア１２に回転不能に連結され、リール本体２に対して回転自在である。ロータ本体７は、リール本体２の前部である円筒部を内部に配置可能に後部に形成された凹陥部を有する筒部３０と、筒部３０の後部の対向する位置に接続され筒部３０と間隔を隔てて前方に延びる第１ロータアーム３１及び第２ロータアーム３２とを有している。
【００２７】
筒部３０は、図２に示すように、前部内周側に円板状の壁部を有し、壁部の中心部には、ピニオンギア１２と一体回転可能に連結される環状のボス部が形成されている。このボス部の中心にピニオンギア１２の前部が回転不能に係止され、ピニオンギア１２の先端にねじ込まれたナット１３により、ロータ本体７がピニオンギア１２に固定されている。
【００２８】
第１カバー部材３３は、筒部３０の周囲でロータ本体７の後部を覆うように構成されている。第２カバー部材３４は、第１ロータアーム３１の外方を覆うものであり、第１ロータアーム３１にねじ込まれる固定ボルトにより第１ロータアーム３１に連結されている。
【００２９】
第２カバー部材３４は、図２に示すように、第１カバー部材３３及び第１ロータアーム３１と三次元的な曲線で接合している。第２カバー部材３４の先端部は、後述する第１ベール支持部材４０（第１支持部材の一例）を配置可能に概ね半円形に切り欠かれる。
【００３０】
第３カバー部材３５は、図２に示すように、第２ロータアーム３２の外方を覆うものであり、固定ボルト及びそれに螺合するナット部材により第２ロータアーム３２に固定される。第３カバー部材３５も第１カバー部材３３及び第２ロータアーム３２と三次元的な曲線で接合している。固定ボルトは、第３カバー部材３５をロータ本体７に固定するするとともに、後述する第２ベール支持部材４２（第２支持部材の一例）を揺動自在に支持する機能も有している。
【００３１】
第１ロータアーム３１の先端の外周側には、図２に示すように、第１ベール支持部材４０が揺動自在に装着されている。第１ベール支持部材４０の先端には、釣り糸をスプール４に案内するためのラインローラ４１が装着されている。また、第２ロータアーム３２の先端外周側には、第２ベール支持部材４２が揺動自在に装着されている。ラインローラ４１と第２ベール支持部材４２との間には線材を略Ｕ状に湾曲させた形状のベール４３が固定されている。これらの第１ベール支持部材４０、第２ベール支持部材４２、ラインローラ４１及びベール４３により釣り糸をスプール４に案内するベールアーム４４（釣り糸案内機構の一例）が構成される。ベールアーム４４は、図２に示す糸案内姿勢とそれから反転した糸開放姿勢との間で揺動自在である。
【００３２】
ベールアーム４４は、図１及び図２に示すように、第１ロータアーム３１及び第２ロータアーム３２の先端に、糸案内姿勢と糸開放姿勢との間で揺動自在に装着されている。ベールアーム４４は、第１ロータアーム３１及び第２ロータアーム３２の先端にそれぞれ揺動自在に装着された第１ベール支持部材４０及び第２ベール支持部材４２を有している。
【００３３】
第１ベール支持部材４０は、第１ロータアーム３１の外側に揺動自在に装着され、第２ベール支持部材４２は、第２ロータアーム３２の外側に揺動自在に装着されている。ベールアーム４４は、図１及び図２に示すように、第１ベール支持部材４０及び第２ベール支持部材４２を連結するベール４３と、第１ベール支持部材４０に先端が固定された固定軸４５と、固定軸４５に支持されたラインローラ４１と、固定軸４５を覆う固定軸カバー４６とを有している。
【００３４】
第１ベール支持部材４０は、第１ロータアーム３１の外側に揺動自在に装着され、第２ベール支持部材４２は、第２ロータアーム３２の内側に揺動自在に装着されている。ベールアーム４４は、図１及び図２に示すように、第１ベール支持部材４０及び第２ベール支持部材４２を連結するベール４３と、第１ベール支持部材４０に先端が固定された固定軸４５と、固定軸４５に支持されたラインローラ４１と、固定軸４５を覆う固定軸カバー４６とを有している。
【００３５】
第１ベール支持部材４０は、第１ロータアーム３１の先端に揺動自在に装着される部材である。第１ベール支持部材４０は、図１から図３に示すように、第１ロータアーム３１に揺動自在に装着される第１回転支持部４０ａと、第１回転支持部４０ａから前方に延びる第１アーム部４０ｂと、第１アーム部４０ｂの先端に一体成形されベールアーム４４のラインローラ４１、固定軸４５及び固定軸カバー４６が装着される第１装着部４０ｃとを有している。第１回転支持部４０ａは、図３に示すように、中央部に回転支持用のピン部材が挿入される貫通孔４０ｄを有する環状部分であって、内周縁部に立設された内フランジ部４０ｅと、外周縁部に立設された外フランジ部４０ｆと、内フランジ部４０ｅと外フランジ部４０ｆとの間に形成された空洞部４０ｇとを有している。第１ベール支持部材４０が糸開放姿勢時において外部に露出する第１回転支持部４０ａには、第１回転支持部４０ａの内周部と外周部とを連通するように形成された第１注油孔９０が形成されている。
【００３６】
第１注油孔９０は、第１ベール支持部材４０と第１ロータアーム３１との間に潤滑油を注油するための細孔からなる注油孔であって、注油用ノズルが挿入可能に小径となるように形成された貫通孔である。第１注油孔９０は、糸案内姿勢時において外部に露出しない第１回転支持部４０ａに設けられている。第１注油孔９０は、第１ベール支持部材４０の糸開放姿勢時において外部に露出し、第１ベール支持部材４０の糸案内姿勢時において外部に露出しないように配置されている。第１注油孔９０は、注油用ノズルが挿入可能に小径となるように形成された貫通孔である。第１注油孔９０は、図３に示すように、内フランジ部４０ｅに形成された第１貫通孔９０ａと、外フランジ部４０ｆに形成され第１貫通孔９０ａ及び空洞部４０ｇと連通する第２貫通孔９０ｂとを有している。ここでは、第１ベール支持部材４０と第１ロータアーム３１との間に潤滑油を注油するときは、第１ベール支持部材４０の糸開放姿勢となるように揺動させ、外部に露出した第１注油孔９０から内周部に潤滑油を注油する。具体的には、第１ベール支持部材４０の糸開放姿勢となるように揺動させ、外部に露出した第２貫通孔９０ｂから空洞部４０ｇを介して第１貫通孔９０ａの内周部に潤滑油を注油する。
【００３７】
ラインローラ４１は、第１ベール支持部材４０の先端に設けられ釣り糸をスプール４に案内する部材である。ラインローラ４１は、外周面に釣り糸を案内する溝が形成された筒状のローラと、ローラの内周側に軸方向に間隔を隔てて配置された２つの軸受とを有している。ローラは２つの軸受を介して固定軸４５に回動自在に支持されている。
【００３８】
ベール４３は、固定軸カバー４６と第２ベール支持部材４２との間を連結して釣り糸をラインローラ４１に案内する部材である。ベール４３は、図１及び図２に示すように、一端が固定軸カバー４６とステンレス合金の鍛造により一体成形され、他端が第２ベール支持部材４２にかしめ固定された針金状の部材であり、スプール４の周方向外方に凸に湾曲して配置されている。ベール４３は、ベールアーム４４が糸開放姿勢から糸案内姿勢に復帰したときに釣り糸を固定軸カバー４６を介してラインローラ４１に導くためのものである。
【００３９】
第２ベール支持部材４２は、第２ロータアーム３２の先端に揺動自在に装着される部材である。第２ベール支持部材４２は、亜鉛合金によって形成されたアーム部材であり、ベール４３の端部を支持するためのものである。第２ベール支持部材４２は、図１、図２及び図４に示すように、第２ロータアーム３２に揺動自在に装着される第２回転支持部４２ａと、第２回転支持部４２ａから前方に延びる第２アーム部４２ｂと、第２アーム部４２ｂの先端に一体成形されベールアーム４４のベール４３が装着される第２装着部４２ｃとを有している。第２回転支持部４２ａは、図４に示すように、中央部に回転支持用のピン部材が挿入される貫通孔４２ｄを有する環状部分であって、内周部４２ｅと、外周部４２ｆと、内周部４２ｅと外周部４２ｆとが連なった本体部４２ｇとを有している。第２ベール支持部材４２が糸開放姿勢時において外部に露出する第２回転支持部４２ａには、第２回転支持部４２ａの内周部４２ｅと外周部４２ｆとを連通するように形成された注油用の第２注油孔９１が形成されている。
【００４０】
第２注油孔９１は、第２ベール支持部材４２と第２ロータアーム３２との間に潤滑油を注油するための細孔からなる注油孔であって、注油用ノズルが挿入可能に小径となるように形成された貫通孔である。第２注油孔９１は、糸案内姿勢時において外部に露出しない第２回転支持部４２ａに設けられている。第２注油孔９１は、図４に示すように、本体部４２ｇの内周部４２ｅと外周部４２ｆとを貫通する貫通孔である。ここでは、第２ベール支持部材４２と第２ロータアーム３２との間に潤滑油を注油するときは、第２ベール支持部材４２の糸開放姿勢となるように揺動させ、外部に露出した第２注油孔９１から内周部に潤滑油を注油する。
【００４１】
固定軸４５は、第１ベール支持部材４０の先端から突出しラインローラ４１を回転自在に支持する部材である。固定軸４５は、固定軸カバー４６と別体で形成されたアルミニウム合金製のナット部材である。固定軸４５は、固定軸カバー４６側の基端から第１ベール支持部材４０側の先端に向かって延びており、先端が固定ボルトにより第１ベール支持部材４０に固定されている。
【００４２】
固定軸カバー４６は、固定軸４５の先端に設けられ、ラインローラ４１の外径より大きい外径を有している。固定軸カバー４６は、固定軸４５の基端に第１ベール支持部材４０の装着部と間隔を隔てて設けられ、鍛造等の型成形により形成されている。固定軸カバー４６は、頂点が中心からずれた略円錐形状の部材であり、固定軸４５の中心を基準にしてリールの後方でかつスプール４の径方向外方に頂点が向いている。固定軸カバー４６の頂点より釣り糸案内側に偏倚してベール４３が一体成形され、ベール４３は頂点付近の稜線部分と滑らかに接合されている。
【００４３】
ロータ３の筒部３０の内部には、図２に示すように、ロータ３の逆転を禁止・解除するための逆転防止機構５０が配置されている。逆転防止機構５０は、内輪が遊転するローラ型のワンウェイクラッチ５１と、ワンウェイクラッチ５１を作動状態（逆転禁止状態）と非作動状態（逆転許可状態）とに切り換える切換機構５２とを有している。
【００４４】
スプール４は、図２に示すように、ロータ３の第１ロータアーム３１と第２ロータアーム３２との間に配置されており、スプール軸１５の先端にドラグ機構６０を介して装着されている。スプール４は、図４に示すように、外周に釣り糸が巻かれる糸巻胴部４ａと、糸巻胴部４ａの後方に糸巻胴部４ａと一体形成された筒状のスカート部４ｂと、糸巻胴部４ａの前端に設けられた大径の前フランジ部４ｃとを有している。
【００４５】
ドラグ機構６０は、図２に示すように、スプール４の回転を制動するものであり、スプール軸１５の先端に螺合するドラグ調整つまみ６１と、ドラグ調整つまみ６１により押圧されてスプール４を制動する制動部６２とを有している。
【００４６】
次にリールの操作及び動作について説明する。
【００４７】
キャスティング時にはベールアーム４４を糸開放姿勢に反転させる。これにより第１ベール支持部材４０及び第２ベール支持部材４２は揺動する。この状態で釣竿を握る手の人差し指で釣り糸を引っかけながら釣竿をキャスティングする。すると釣り糸は仕掛けの重さにより勢いよく放出される。仕掛けが着水した後ハンドル１を釣り糸巻き取り方向に回転させると、ロータ駆動機構５によりロータ３が釣り糸巻き取り方向に回転し、ベールアーム４４が図示しないベール反転機構により糸巻き取り姿勢に復帰しロータ３の逆転が禁止されているので釣り糸の放出が止まる。
【００４８】
釣り糸を巻き取る際には、ハンドル１を釣り糸巻き取り方向に回転させる。すると、その回転がフェースギア１１、ピニオンギア１２を介してロータ３に伝達されロータ３が回転する。ロータ３が回転すると、ラインローラ４１に案内された釣り糸がスプール４に巻き付けられる。
【００４９】
このようなスピニングリールのベールアーム４４では、第１ベール支持部材４０の糸開放姿勢時において外部に露出する第１回転支持部４０ａに設けられ、第１回転支持部４０ａの内周部と外周部とを連通するように形成された第１注油孔９０が設けられている。さらに、ここでは、第２ベール支持部材４２の糸開放姿勢時において外部に露出する第２回転支持部４２ａに設けられ、第２回転支持部４２ａの内周部と外周部とを連通するように形成された注油用の第２注油孔９１が設けられている。ここでは、第１ベール支持部材４０と第１ロータアーム３１との間に潤滑油を注油するときは、第１ベール支持部材４０の糸開放姿勢となるように揺動させ、外部に露出した第１注油孔９０から内周部に潤滑油を注油する。また、第２ベール支持部材４２と第２ロータアーム３２との間に潤滑油を注油するときは、第２ベール支持部材４２の糸開放姿勢となるように揺動させ、外部に露出した第２注油孔９１から内周部に潤滑油を注油する。
【００５０】
ここでは、従来のように第１ベール支持部材４０や第２ベール支持部材４２を分解することなく潤滑油を注油することができるので、第１ベール支持部材４０や第２ベール支持部材４２を分解することなく第１ベール支持部材４０と第１ロータアーム３１との間や第２ベール支持部材４２と第２ロータアーム３２との間に容易に注油を行うことができる。さらに、ここでは、第１注油孔９０は、第１ベール支持部材４０の糸開放姿勢時において外部に露出し、第１ベール支持部材４０の糸案内姿勢時において外部に露出しないように配置され、第２注油孔９１は、第２ベール支持部材４２の糸開放姿勢時において外部に露出し、第２ベール支持部材４２の糸案内姿勢時において外部に露出しないように配置されているので、従来のように第１注油孔９０や第２注油孔９１を閉塞するためのキャップ部材を別途設ける必要がなくなる。このため、第１ベール支持部材４０や第２ベール支持部材４２にキャップ部材を装着するためのスペースを確保する必要がなくなるとともに、部品点数が増加することもなくなるので、簡素な構成で第１注油孔９０や第２注油孔９１を形成できる。
【００５１】
〔他の実施形態〕
（ａ）  前記実施形態では、ベール４３と固定軸カバー４６とが一体成形され、固定軸４５と固定軸カバー４６とが別体で形成されていたが、ベール４３、固定軸４５及び固定軸カバー４６を一体成形してもよいし、ベール４３、固定軸４５及び固定軸カバー４６を別体で形成してもよい。また、ベール４３、固定軸４５及び固定軸カバー４６の材質や製造方法は、ステンレス合金やアルミニウム合金以外の他の金属であってもよいし、鍛造や切削加工以外の他の加工方法であってもよい。
【００５２】
（ｂ）  前記実施形態では、第２ベール支持部材４２及びベール４３を有するベールアーム４４であったが、第２ベール支持部材４２及びベール４３を有さないベールレス型のベールアーム４４にも本発明を適用できる。
【００５３】
（ｃ）  前記実施形態では、第１注油孔９０は、第１貫通孔９０ａ及び第２貫通孔９０ｂにより構成されていたが、第１回転支持部４０ａに空洞部４０ｇがない場合には、１つの貫通孔であってもよい。同様に、第２回転支持部４２ａに内フランジ部、外フランジ部及び空洞部がある場合には、内フランジ部及び外フランジ部に貫通孔を形成し、第２注油孔９１は、２つの貫通孔により構成されていてもよい。
【符号の説明】
【００５４】
１  ハンドル
２  リール本体
２ａ  リールボディ
２ｂ  蓋部材
２ｃ  竿取付脚
２ｄ  本体ガード
３  ロータ
４  スプール
４ａ  糸巻胴部
４ｂ  スカート部
４ｃ  前フランジ部
５  ロータ駆動機構
６  オシレーティング機構
７  ロータ本体
１０  マスターギア軸
１１  フェースギア
１２  ピニオンギア
１３  ナット
１４ａ  第１軸受
１４ｂ  第２軸受
１５  スプール軸
２１  螺軸
２２  スライダ
２３  中間ギア
３０  筒部
３１  第１ロータアーム
３２  第２ロータアーム
３３  第１カバー部材
３４  第２カバー部材
３５  第３カバー部材
４０  第１ベール支持部材
４０ａ  第１回転支持部
４０ｂ  第１アーム部
４０ｃ  第１装着部
４０ｄ  貫通孔
４０ｅ  内フランジ部
４０ｆ  外フランジ部
４０ｇ  空洞部
４１  ラインローラ
４２  第２ベール支持部材
４２ａ  第２回転支持部
４２ｂ  第２アーム部
４２ｃ  第２装着部
４２ｄ  貫通孔
４２ｅ  内周部
４２ｆ  外周部
４２ｇ  本体部
４３  ベール
４４  ベールアーム
４５  固定軸
４６  固定軸カバー
５０  逆転防止機構
５１  ワンウェイクラッチ
５２  切換機構
６０  ドラグ機構
６１  ドラグ調整つまみ
６２  制動部
９０  第１注油孔
９０ａ  第１貫通孔
９０ｂ  第２貫通孔
９１  第２注油孔
【図１】
2011092046.tif 000003
【図２】
2011092046.tif 000004
【図３】
2011092046.tif 000005
【図４】
2011092046.tif 000006